(57)【要約】【課題】庫内容積を圧迫せず、回動遮蔽壁の回動動作を正確に制御することができる遮蔽装置およびそれを備えた冷蔵庫を提供する。【解決手段】本発明の遮蔽装置７０は、送風機４７を半径方向外側から囲む複数の回動遮蔽壁７１と、回動遮蔽壁７１を駆動する遮蔽壁駆動機構６０と、遮蔽壁駆動機構６０を制御する制御装置５４とを具備する。また、遮蔽壁駆動機構６０は、円周方向に沿ってスライド溝８０が形成された回転プレート７３と、スライド溝８０に係合する移動軸７６が形成されて回動遮蔽壁７１に回転可能に連結されたカム６１と、回転プレート７３を回転するモータと、を有する。更に、制御装置５４は、回転プレート７３の回転方向に於ける位置を検出する位置検出装置である距離センサ７２の出力に基づいて、遮蔽壁駆動機構６０を制御する。【選択図】図９
2020101314.tif 000002
【特許請求の範囲】
【請求項１】
冷蔵庫の内部で冷気が送風される風路を塞ぐ遮蔽装置であって、
送風機を半径方向外側から囲む複数の回動遮蔽壁と、
前記回動遮蔽壁を駆動する遮蔽壁駆動機構と、
前記遮蔽壁駆動機構を制御する制御装置と、を具備し、
前記遮蔽壁駆動機構は、環状のスライド溝が形成された回転プレートと、前記スライド溝に係合する移動軸が形成されて前記回動遮蔽壁に回転可能に連結されたカムと、前記回転プレートを回転するモータと、を有し、
前記回転プレートの回転方向に於ける位置を検出する位置検出装置をさらに含み、
前記制御装置は、前記位置検出装置の出力に基づいて、前記遮蔽壁駆動機構を制御することを特徴とする遮蔽装置。
【請求項２】
前記位置検出装置は、回転方向に於ける前記回転プレートの厚さの変化を検出することを特徴とする請求項１に記載の遮蔽装置。
【請求項３】
前記位置検出装置は、前記回転プレートと共に回転することで出力される電気的特性値の変化を検出することを特徴とする請求項１に記載の遮蔽装置。
【請求項４】
前記位置検出装置は、前記回転プレートの回転に伴い変化する磁力を検出することを特徴とする請求項１に記載の遮蔽装置。
【請求項５】
貯蔵室に前記風路を経由して供給される空気を冷却する冷凍サイクルの冷却器と、
前記冷却器が配設されて前記貯蔵室につながる送風口が形成される冷却室と、
前記送風口から供給される前記空気を前記貯蔵室に向けて送風する前記送風機と、
前記風路を少なくとも部分的に塞ぐ、請求項１から請求項４の何れかに記載された前記遮蔽装置と、を具備することを特徴とする冷蔵庫。
【発明の詳細な説明】
【技術分野】
【０００１】
本発明は、遮蔽装置およびそれを備えた冷蔵庫に関し、特に、冷却室から貯蔵室につながる風路を適宜塞ぐ遮蔽装置およびそれを備えた冷蔵庫に関する。
【背景技術】
【０００２】
従来から、特許文献１に記載されたような、一つの冷却器で複数の貯蔵室を適宜冷却する冷蔵庫が知られている。
【０００３】
図１９に、この文献に記載された冷蔵庫１００を模式的に示す。この図に示す冷蔵庫１００には、上方から、冷蔵室１０１、冷凍室１０２および野菜室１０３が形成されている。冷凍室１０２の奥側には、冷却器１０８が収納される冷却室１０４が形成されており、冷却室１０４と冷凍室１０２とを区画する区画壁１０５には、冷気を各貯蔵室に供給するための開口部１０６が形成されている。また、この開口部１０６には、冷気を送風する送風ファン１０７が配設されており、この送風ファン１０７を覆う送風機カバー１１０が冷凍室１０２側に配置されている。冷蔵室１０１に供給される冷気が流通する風路１０９の途中には、ダンパ１１４が配設されている。
【０００４】
図２０を参照して、上記した送風機カバー１１０を詳述する。送風機カバー１１０は、略四角形形状を呈する凹部１１１が形成されており、凹部１１１の上部を部分的に切り欠いて開口部１１３が形成されている。ここで、送風機カバー１１０が、上記した送風ファン１０７を覆う状況では、送風機カバー１１０の開口部１１３は、冷蔵庫本体側の風路１０９と連通している。
【０００５】
上記した構成の冷蔵庫１００は次のように動作する。先ず、冷蔵室１０１および冷凍室１０２の両方を冷却する場合は、送風機カバー１１０を送風ファン１０７から離間させ、ダンパ１１４を開き、この状態で送風ファン１０７を回転させる。そうすると、冷却室１０４の内部で冷却器１０８により冷却された冷気の一部は、送風ファン１０７の送風力で、冷凍室１０２に送風される。また、この冷気の他の一部は、風路１０９、ダンパ１１４および風路１０９を経由して、冷蔵室１０１に送風される。これより、冷凍室１０２と冷蔵室１０１の両方が冷却される。
【０００６】
一方、冷蔵室１０１のみを冷却する際には、送風ファン１０７を送風機カバー１１０で覆い、ダンパ１１４を開き、この状態にて冷却器１０８で冷却された冷気を送風ファン１０７で送風する。送風機カバー１１０を閉鎖状態にすると、送風機カバー１１０の上部に形成された開口部１１３が、風路１０９と連通するようになる。よって、送風ファン１０７で送風された冷気は、上記した開口部１１３、ダンパ１１４、風路１０９を経由して、冷蔵室１０１に供給される。
【０００７】
上記のように、開口部１１３が形成された送風機カバー１１０を用いることで、一つの冷却器１０８で、複数の貯蔵室を適宜冷却することが可能となった。
【先行技術文献】
【特許文献】
【０００８】
【特許文献１】特開２０１３−２６６４号公報
【発明の概要】
【発明が解決しようとする課題】
【０００９】
しかしながら、送風機カバー１１０は、開閉動作を前後方向に沿って行うための空間を必要とする。よって、冷蔵庫１００の内部に於いて、送風機カバー１１０が開閉動作を行うために大きな空間が必要とされる。この結果、送風機カバー１１０の前方に形成される冷凍室１０２の庫内容積が圧迫されてしまい、冷凍室１０２に収納することができる被貯蔵物の量が制限されてしまう課題があった。更には、モータで送風機カバー１１０を前後方向に移動させる際に駆動音が発生し、この駆動音が大きいと使用者にとって不快である恐れがあった。
【００１０】
本発明は、上記の事情に鑑みてなされたものであり、その目的とするところは、庫内容積を圧迫せず、回動遮蔽壁の回動を正確に制御できる遮蔽装置およびそれを備えた冷蔵庫を提供することにある。
【課題を解決するための手段】
【００１１】
本発明の遮蔽装置は、冷蔵庫の内部で冷気が送風される風路を塞ぐ遮蔽装置であって、送風機を半径方向外側から囲む複数の回動遮蔽壁と、前記回動遮蔽壁を駆動する遮蔽壁駆動機構と、前記遮蔽壁駆動機構を制御する制御装置と、を具備し、前記遮蔽壁駆動機構は、環状のスライド溝が形成された回転プレートと、前記スライド溝に係合する移動軸が形成されて前記回動遮蔽壁に回転可能に連結されたカムと、前記回転プレートを回転するモータと、を有し、前記回転プレートの回転方向に於ける位置を検出する位置検出装置をさらに含み、前記制御装置は、前記位置検出装置の出力に基づいて、前記遮蔽壁駆動機構を制御することを特徴とする。
【００１２】
また、本発明の遮蔽装置では、前記位置検出装置は、回転方向に於ける前記回転プレートの厚さの変化を検出することを特徴とする。
【００１３】
また、本発明の遮蔽装置では、前記位置検出装置は、前記回転プレートと共に回転することで出力される電気的特性値の変化を検出することを特徴とする。
【００１４】
また、本発明の遮蔽装置では、前記位置検出装置は、前記回転プレートの回転に伴い変化する磁力を検出することを特徴とする。
【００１５】
更に、本発明の冷蔵庫は、貯蔵室に前記風路を経由して供給される空気を冷却する冷凍サイクルの冷却器と、前記冷却器が配設されて前記貯蔵室につながる送風口が形成される冷却室と、前記送風口から供給される前記空気を前記貯蔵室に向けて送風する前記送風機と、前記風路を少なくとも部分的に塞ぐ前記遮蔽装置と、を具備することを特徴とする。
【発明の効果】
【００１６】
本発明の遮蔽装置は、冷蔵庫の内部で冷気が送風される風路を塞ぐ遮蔽装置であって、送風機を半径方向外側から囲む複数の回動遮蔽壁と、前記回動遮蔽壁を駆動する遮蔽壁駆動機構と、前記遮蔽壁駆動機構を制御する制御装置と、を具備し、前記遮蔽壁駆動機構は、環状のスライド溝が形成された回転プレートと、前記スライド溝に係合する移動軸が形成されて前記回動遮蔽壁に回転可能に連結されたカムと、前記回転プレートを回転するモータと、を有し、前記回転プレートの回転方向に於ける位置を検出する位置検出装置をさらに含み、前記制御装置は、前記位置検出装置の出力に基づいて、前記遮蔽壁駆動機構を制御することを特徴とする。これにより、本発明の遮蔽装置によれば、制御装置は、位置検出装置により回転方向に於ける回転プレートの位置を検出し、その検出結果に基づいて遮蔽壁駆動機構を制御しているので、回動遮蔽壁の回動動作を正確に制御することができる。よって、冷蔵庫内部に於ける風路の開閉制御を正確に行うことができる。更には、初期位置を検出するための特定の部位を回転プレートに形成せずとも、制御装置は位置検出装置の出力に基づいて、回転プレートの初期位置を検出できる。更には、初期位置を検出するための当接部を形成する必要が無いことから、装置全体の構成を簡素化でき、更には当接動作に伴い騒音が発生することがない。
【００１７】
また、本発明の遮蔽装置では、前記位置検出装置は、回転方向に於ける前記回転プレートの厚さの変化を検出することを特徴とする。これにより、本発明の遮蔽装置によれば、回転プレートの厚さの変化を位置検出装置で検出することで、回転プレートの回転方向に於ける位置を容易に検出できる。
【００１８】
また、本発明の遮蔽装置では、前記位置検出装置は、前記回転プレートと共に回転することで出力される電気的特性値の変化を検出することを特徴とする。これにより、本発明の遮蔽装置によれば、回転プレートの回転に伴い位置検出装置から出力される電気的特性値が変化することで、制御装置は回転プレートの回転方向に於ける位置を正確に検出することができる。
【００１９】
また、本発明の遮蔽装置では、前記位置検出装置は、前記回転プレートの回転に伴い変化する磁力を検出することを特徴とする。これにより、本発明の遮蔽装置によれば、磁界を検出する簡易な構成で回転プレートの回転方向に於ける位置を検出できる。
【００２０】
更に、本発明の冷蔵庫は、貯蔵室に前記風路を経由して供給される空気を冷却する冷凍サイクルの冷却器と、前記冷却器が配設されて前記貯蔵室につながる送風口が形成される冷却室と、前記送風口から供給される前記空気を前記貯蔵室に向けて送風する前記送風機と、前記風路を少なくとも部分的に塞ぐ前記遮蔽装置と、を具備することを特徴とする。これにより、本発明の冷蔵庫によれば、回動遮蔽壁の回動動作を正確に制御することができる。よって、冷蔵庫内部に於ける風路の開閉制御を正確に行うことができる。
【図面の簡単な説明】
【００２１】
【図１】本発明の実施形態に係る冷蔵庫の外観を示す正面図である。
【図２】本発明の実施形態に係る冷蔵庫の内部構成を示す側方断面図である。
【図３】本発明の実施形態に係る冷蔵庫の冷却室付近の構造を示す拡大された側方断面図である。
【図４】本発明の実施形態に係る遮蔽装置を示す分解斜視図である。
【図５】本発明の実施形態に係る遮蔽装置および冷蔵庫を示す図であり、（Ａ）は遮蔽装置が組み付けられた状態を示す断面図であり、（Ｂ）は仕切体を示す正面図である。
【図６】本発明の実施形態に係る遮蔽装置を示す図であり、（Ａ）は遮蔽装置を示す分解斜視図であり、（Ｂ）はカムを示す斜視図である。
【図７】本発明の実施形態に係る遮蔽装置を示す図であり、（Ａ）は遮蔽装置を部分的に示す分解斜視図であり、（Ｂ）はカムが収納される構成を示す分解斜視図である。
【図８】本発明の実施形態に係る遮蔽装置を示す図であり、（Ａ）は遮蔽装置の回動遮蔽壁を後方から見て示す図であり、（Ｂ）は回転プレートの構成を後方から見て示す図である。
【図９】本発明の実施形態に係る遮蔽装置において、位置検出装置として距離センサを採用した場合を示し、（Ａ）は遮蔽装置を示す分解斜視図であり、（Ｂ）は距離センサで回転プレートの角度を検出する方法を示す断面図である。
【図１０】本発明の実施形態に係る遮蔽装置において、位置検出装置として抵抗器を採用した場合を示す斜視図である。
【図１１】本発明の実施形態に係る遮蔽装置において、位置検出装置として磁気センサを採用した場合を示す斜視図である。
【図１２】本発明の実施形態に係る冷蔵庫の接続構成を示すブロック図である。
【図１３】本発明の実施形態に係る遮蔽装置において、パターン１の状態を後方から見て示す図であり、（Ａ）は遮蔽装置を示す図であり、（Ｂ）は回転プレートを示す図である。
【図１４】本発明の実施形態に係る遮蔽装置において、パターン１の風路の状況を後方から見て示す図である。
【図１５】本発明の実施形態に係る遮蔽装置において、パターン６の状態を後方から見て示す図であり、（Ａ）は遮蔽装置を示す図であり、（Ｂ）は回転プレートを示す図である。
【図１６】本発明の実施形態に係る遮蔽装置において、パターン６の風路の状況を後方から見て示す図である。
【図１７】本発明の実施形態に係る遮蔽装置において、パターン１２の状態を後方から見て示す図であり、（Ａ）は遮蔽装置を示す図であり、（Ｂ）は回転プレートを示す図である。
【図１８】本発明の実施形態に係る遮蔽装置において、パターン１２の風路の状況を後方から見て示す図である。
【図１９】背景技術に係る冷蔵庫を示す拡大側面図である。
【図２０】背景技術に係る冷蔵庫で採用される送風機カバーを示す斜視図である。
【発明を実施するための形態】
【００２２】
以下、本発明の実施形態に係る遮蔽装置７０および冷蔵庫１０を図面に基づき詳細に説明する。以下の説明では、同一の部材には原則的に同一の符号を付し、繰り返しの説明は省略する。更に以下の説明では、上下前後左右の各方向を適宜用いるが、左右とは冷蔵庫１０を後方から見た場合の左右を示している。更に、以下の説明において、回転方向を時計回りおよび反時計回りと表現するが、これらの回転方向は、冷蔵庫１０を後方から見た場合の方向を示している。
【００２３】
図１は、本形態の冷蔵庫１０の概略構造を示す正面外観図である。図１に示すように、冷蔵庫１０は、本体としての断熱箱体１１を備え、この断熱箱体１１の内部に食品等を貯蔵する貯蔵室を形成している。この貯蔵室としては、最上段が冷蔵室１５、その下段が上段冷凍室１８、更にその下段が下段冷凍室１９、そして最下段が野菜室２０である。尚、上段冷凍室１８および下段冷凍室１９は、何れも冷凍温度域の貯蔵室であり、以下の説明ではこれらを冷凍室１７と総称する場合もある。ここで、上段冷凍室１８は、左右に分割され、一方側が製氷室として用いられても良い。
【００２４】
断熱箱体１１の前面は開口しており、前記各貯蔵室に対応した開口には、断熱扉２１等が開閉自在に設けられている。断熱扉２１は、冷蔵室１５の前面を左右方向に分割して塞ぐもので、断熱扉２１の幅方向における外側上下端部が断熱箱体１１に回転自在に取り付けられている。また、断熱扉２３，２４，２５は、各々収納容器と一体的に組み合わされ、冷蔵庫１０の前方に引出自在に、断熱箱体１１に支持されている。具体的には、断熱扉２３は上段冷凍室１８を閉鎖し、断熱扉２４は下段冷凍室１９を閉鎖し、断熱扉２５は野菜室２０を閉鎖する。
【００２５】
図２は、冷蔵庫１０の概略構造を示す側方断面図である。冷蔵庫１０の本体である断熱箱体１１は、前面が開口する鋼板製の外箱１２と、この外箱１２内に間隙を持たせて配設され、前面が開口する合成樹脂製の内箱１３とから構成されている。外箱１２と内箱１３との間隙には、発泡ポリウレタン製の断熱材１４が充填発泡されている。尚、上記した断熱扉２１等も、断熱箱体１１と同様の断熱構造を採用している。
【００２６】
冷蔵室１５と、その下段に位置する冷凍室１７とは、断熱仕切壁４２によって仕切られている。また、上段冷凍室１８と、その下段に設けられた下段冷凍室１９との間は、冷却された空気である冷気が流通自在に連通している。そして、冷凍室１７と野菜室２０との間は、断熱仕切壁４３によって区分けされている。
【００２７】
冷蔵室１５の背面には、合成樹脂製の仕切体６５で区画され、冷蔵室１５へと冷気を供給する供給風路としての冷蔵室供給風路２９が形成されている。冷蔵室供給風路２９には、冷蔵室１５に冷気を流す吹出口３３が形成されている。
【００２８】
冷凍室１７の奥側には、冷却器４５で冷却された冷気を冷凍室１７へと流す冷凍室供給風路３１が形成されている。冷凍室供給風路３１の更に奥側には、冷却室２６が形成されており、その内部には、庫内を循環する空気を冷却するための蒸発器である冷却器４５が配置されている。冷凍室供給風路３１は、前面カバー６７と仕切体６６とで前後方向から囲まれた空間である。
【００２９】
冷却器４５は、圧縮機４４、図示しない放熱器、図示しない膨張手段であるキャピラリーチューブに冷媒配管を介して接続されており、蒸気圧縮式の冷凍サイクル回路を構成するものである。
【００３０】
図３は、冷蔵庫１０の冷却室２６付近の構造を示す側方断面図である。冷却室２６は、断熱箱体１１の内部で、冷凍室供給風路３１の奥側に設けられている。冷却室２６と冷凍室１７との間は、合成樹脂製の仕切体６６によって仕切られている。
【００３１】
冷却室２６の前方に形成される冷凍室供給風路３１は、冷却室２６とその前方に組み付けられる合成樹脂製の前面カバー６７との間に形成された空間であり、冷却器４５で冷却された冷気を冷凍室１７に流す風路となる。前面カバー６７には、冷凍室１７に冷気を吹き出す開口である吹出口３４が形成されている。
【００３２】
下段冷凍室１９の下部背面には、冷凍室１７から冷却室２６へと空気を戻す戻り口３８が形成されている。そして、冷却室２６の下方には、この戻り口３８につながり、各貯蔵室からの帰還冷気を冷却室２６の内部へと吸入する、戻り口２８が形成されている。戻り口２８には、野菜室２０の戻り口３９（図２参照）および野菜室帰還風路３７を経由して帰還する冷気も流入する。
【００３３】
また、冷却器４５の下方には、冷却器４５に付着した霜を融かして除去する除霜手段として、除霜ヒータ４６が設けられている。除霜ヒータ４６は、電気抵抗加熱式のヒータである。
【００３４】
冷却室２６の上部には、各貯蔵室につながる開口である送風口２７が形成されている。送風口２７は、冷却器４５で冷却された冷気を流す開口であり、冷却室２６と、冷蔵室供給風路２９および冷凍室供給風路３１とを連通させる。送風口２７には、前方から、冷凍室１７等に向けて冷気を送り出す送風機４７が配設されている。
【００３５】
冷却室２６の送風口２７の外側には、送風口２７からつながる風路を適宜塞ぐための遮蔽装置７０が設けられている。遮蔽装置７０は、前方から前面カバー６７で覆われている。
【００３６】
ここで、図３には図示しないが、冷蔵室供給風路２９にダンパを介装しても良い。このようにすることで、遮蔽装置７０とダンパとで、各貯蔵室に好適に冷気を送風することができる。
【００３７】
図４は、前面カバー６７、遮蔽装置７０および仕切体６６を示す分解斜視図である。遮蔽装置７０は、前面カバー６７と仕切体６６との間に配設されている。
【００３８】
遮蔽装置７０は、蓋部材５７、回転プレート７３および支持基体６３から構成されている。蓋部材５７は、回転プレート７３を前方から塞ぐ部材であり、前面視で略円形状を呈している。回転プレート７３は、遮蔽装置７０を開閉するために回転する略円板状の部材であり、支持基体６３に対して回動可能に取り付けられている。支持基体６３は、所定形状に成形された合成樹脂板から成り、遮蔽装置７０を構成する各部材が取り付けられる。また、支持基体６３は、前面カバー６７の上部に形成された開口部３５に嵌め込まれている。遮蔽装置７０の構成は、図６を参照して後述する。
【００３９】
図５（Ａ）は、遮蔽装置７０が組み込まれる部分の仕切体６６および前面カバー６７の断面図である。上記したように、仕切体６６および前面カバー６７で囲まれる空間として冷凍室供給風路３１が形成されている。冷凍室供給風路３１は、後述するように、複数の風路に区分されている。また、仕切体６６と前面カバー６７との間には、遮蔽装置７０および遮蔽壁駆動機構６０が配設されている。遮蔽装置７０は送風機４７を遮蔽し、遮蔽壁駆動機構６０は遮蔽装置７０を駆動する。遮蔽装置７０および遮蔽壁駆動機構６０の構成は図６等を参照して後述する。
【００４０】
図５（Ｂ）は、仕切体６６を前方から見た平面図である。仕切体６６には、上記した吹出口３４として、吹出口３４１ないし吹出口３４６が形成されている。吹出口３４１および吹出口３４２は、仕切体６６の上端部に形成される。吹出口３４３および吹出口３４４は、仕切体６６の上下方向中央部に形成される。吹出口３４５および吹出口３４６は、仕切体６６の下端部に形成される。
【００４１】
また、仕切体６６には、前方に向かって延びるリブ状の風路区画壁５６が形成されている。風路区画壁５６の前端は、前面カバー６７に当接している。風路区画壁５６により、上記した冷凍室供給風路３１が複数の風路に細分化されている。
【００４２】
図６を参照して、遮蔽装置７０の構成を説明する。図６（Ａ）は遮蔽装置７０の分解斜視図であり、図６（Ｂ）はカム６１を示す斜視図である。
【００４３】
図６（Ａ）を参照して、遮蔽装置７０は、回動遮蔽壁７１と、支持基体６３と、蓋部材５７と、遮蔽壁駆動機構６０と、を具備している。
【００４４】
遮蔽装置７０は送風機４７で送風された冷気の風路を遮蔽する装置である。遮蔽装置７０を開状態とすることで冷却室２６と各貯蔵室とをつなぐ風路を連通させ、遮蔽装置７０を閉状態とすることで風路を遮断する。
【００４５】
送風機４７は、ビスなどの締結手段を介して、支持基体６３の後面中心部に配設されている。送風機４７は、例えば、ターボファンなどの遠心ファンと、この遠心ファンを回転させる送風モータとを具備しており、半径方向外側に向かって冷気を送風する。
【００４６】
回動遮蔽壁７１は、矩形状の合成樹脂からなる板状部材であり、回転プレート７３の外縁の接線方向に沿う長辺を有している。回動遮蔽壁７１は、支持基体６３の周縁部付近に、後方に向かって回動可能に取り付けられている。回動遮蔽壁７１は、複数が配設されており、具体的には、４つの回動遮蔽壁７１が配設されている。回動遮蔽壁７１は、送風機４７で送風される冷気が流通する経路に配置され、風路を適宜遮蔽する。
【００４７】
回動遮蔽壁７１の回動中心である基端部には、起立状態において回動遮蔽壁７１を外囲する枠状部８３が隣接されている。枠状部８３は枠状に成形された合成樹脂から成り、送風機４７を取り囲むように、支持基体６３の後面に配置されている。枠状部８３は回動遮蔽壁７１に対応して配置され、各回動遮蔽壁７１が枠状部８３の開口を塞ぐことで、風路が閉鎖される。
【００４８】
上記した回動遮蔽壁７１の開閉動作を行う遮蔽壁駆動機構６０は、回転プレート７３と、カム６１と、回転プレート７３を回転させる駆動モータ７４を有している。ここでは、駆動モータ７４は図示していない。
【００４９】
回転プレート７３は、後方から見て略円盤形状の形状を呈し、支持基体６３の前面側に回転自在に配設されている。回転プレート７３には、回動遮蔽壁７１を回動させるためのスライド溝８０が形成されている。スライド溝８０は、回転プレート７３の後面に、リブで囲まれる有底溝として形成されている。後述するように、駆動モータを駆動し、回転プレート７３を回転させることで、回動遮蔽壁７１が開閉動作する。
【００５０】
回転プレート７３の周囲には、モータからの駆動力を伝達するためのギア溝４９が形成されている。本実施形態では、回転プレート７３の全周にギア溝４９が形成されている。
【００５１】
蓋部材５７は、回転プレート７３を前方から覆う板状の部材であり、回転プレート７３よりも若干大きく形成され、前方から見て略円形を呈している。
【００５２】
蓋部材５７の内部には、回転方向に於ける回転プレート７３の位置を検出する位置検出装置である距離センサ７２が配置されている。距離センサ７２は、図９を参照して後述する。
【００５３】
図６（Ｂ）を参照して、カム６１は、合成樹脂から成る扁平な直方体形状の部材である。カム６１の左方端を後方に向かって突出させることで、回動連結部４８が形成されている。回動連結部４８には、後述するピン６９を挿通可能な孔部が形成されている。また、カム６１の右端側の前面から略円柱状に突出する移動軸７６が形成されている。移動軸７６は、上記した回転プレート７３のスライド溝８０に係合し、使用状況下に於いてスライド溝８０と摺動する。この摺動を可能にするため、移動軸７６の直径は、スライド溝８０の半径方向の幅と同程度か若干短く設定されている。
【００５４】
図７を参照して、回動遮蔽壁７１、支持基体６３およびカム６１の関連構成を説明する。図７（Ａ）は、回動遮蔽壁７１、支持基体６３およびカム６１を左側後方から見た分解斜視図であり、図７（Ｂ）は、回動連結部６８およびカム６１を左側前方から見た分解斜視図である。
【００５５】
図７（Ａ）を参照して、回動遮蔽壁７１には、回動遮蔽壁７１の基端部から傾斜して突出する回動連結部６８が形成されている。回動連結部６８には、ピン６９を挿通することが可能な孔部が形成されている。また、回動遮蔽壁７１の上下両側面の前端部には、略円柱状に突出する回動連結部６４が形成されている。回動連結部６４は、枠状部８３の内壁に形成された筒状の凹状部８５に挿入される。係る構成により、回動遮蔽壁７１は、回動可能な状態で支持基体６３に備えられる。
【００５６】
支持基体６３を矩形状に貫通することで貫通孔８６が形成されている。貫通孔８６には、後方から回動遮蔽壁７１の回動連結部６８が挿入される。カム６１の回動連結部４８も、前方から貫通孔８６に挿入される。回動遮蔽壁７１の回動連結部６８の孔部、および、カム６１の回動連結部４８の孔部には、ピン６９が挿入される。係る構成により、支持基体６３を挟んで、回動遮蔽壁７１とカム６１とは回動可能に接続される。
【００５７】
図７（Ｂ）を参照して、支持基体６３の前面には、カム収納部６２が形成されている。カム収納部６２はリブで囲まれる矩形状の領域であり、カム収納部６２の内部に上記した貫通孔８６が形成されている。カム６１は、カム収納部６２の内部に収納されてスライドする。カム収納部６２の内部でカム６１がスライドする方向は、ここでは左右方向であり、換言すると図６（Ａ）に示した回転プレート７３の半径方向である。
【００５８】
上記のように構成することにより、駆動モータを駆動して回転プレート７３を回転させることで、移動軸７６がスライド溝８０内を摺動する。これによってカム６１はカム収納部６２内をスライドする。カム６１をスライドさせることで、回動遮蔽壁７１をピン６９周りに回動させることが出来る。具体的には、カム６１を支持基体６３の周縁部側にスライドさせると、回動遮蔽壁７１は回動連結部６４を回動中心として、起立状態となるように回動し、回動遮蔽壁７１は支持基体６３の主面に対して直交した状態となる。一方、カム６１を支持基体６３の中心側にスライドさせると、回動遮蔽壁７１は回動連結部６４を回動中心として、横臥状態となるように回動し、回動遮蔽壁７１は支持基体６３の主面に対して略平行な状態となる。
【００５９】
したがって、スライド溝８０を回転プレート７３の周縁部側に形成すれば、回動遮蔽壁７１を閉状態とすることができる。反対にスライド溝８０を回転プレート７３の中心側に形成すれば、回動遮蔽壁７１を開状態とすることができる。この原理を利用して、スライド溝８０の蛇行形状を選択すれば、回動遮蔽壁７１の開閉状態を任意に設定することができる。これによって、複雑な構成を採用せずに、回動遮蔽壁７１を全開状態としたり、全閉状態としたりできる。
【００６０】
図８（Ａ）は遮蔽装置７０の回動遮蔽壁７１１等を後方から見て示す図である。遮蔽装置７０は、上記した回動遮蔽壁７１として、回動遮蔽壁７１１ないし回動遮蔽壁７１４を有している。回動遮蔽壁７１１ないし回動遮蔽壁７１４は、上記した回転プレート７３の接線方向に対して略平行な長辺を有する長方形形状を呈している。また、回動遮蔽壁７１１ないし回動遮蔽壁７１４は、図７（Ａ）に示した支持基体６３の周縁部に回動可能に取り付けられている。
【００６１】
回動遮蔽壁７１１の基端部は、移動軸７６１が形成されたカム６１１に回動可能に接続されている。同様に、回動遮蔽壁７１２の基端部は、移動軸７６２が形成されたカム６１２に回動可能に接続されている。回動遮蔽壁７１３の基端部は、移動軸７６３が形成されたカム６１３に回動可能に連結されている。また、回動遮蔽壁７１４の基端部は、移動軸７６４が形成されたカム６１４に回動可能に連結されている。
【００６２】
図８（Ｂ）を参照して、回転プレート７３は、略円板状に成型された鋼板または合成樹脂板であり、上記した回動遮蔽壁７１１等の開閉動作を司るためのスライド溝８０が形成されている。
【００６３】
回転プレート７３の周縁部の全域にはギア溝４９が形成されており、ギア３０とギア溝４９とが歯合することで、駆動モータ７４のトルクで回転プレート７３が回転する。
【００６４】
スライド溝８０は、回転プレート７３の外周縁部近傍に略円環状に形成されている。更に、後方から回転プレート７３を見た場合のスライド溝８０の形状は、真円形状ではなく、回転プレート７３の円周方向に沿って蛇行する蛇行形状を呈している。具体的には、スライド溝８０は、時計回りに沿って、スライド溝８０１ないしスライド溝８０１２から構成される。スライド溝８０１は、時計回りに沿って半径方向外側に向かって湾曲している。スライド溝８０２は、円周方向に対して略平行に延在している。スライド溝８０３は、時計回りに沿って半径方向内側に向かって湾曲している。スライド溝８０４は、時計回りに沿って半径方向外側に向かって湾曲している。スライド溝８０５は、時計回りに沿って半径方向内側に向かって湾曲している。スライド溝８０６は、時計回りに沿って半径方向外側に向かって湾曲している。スライド溝８０７は、時計回りに沿って半径方向内側に向かって湾曲している。スライド溝８０８は、時計回りに沿って半径方向外側に向かって湾曲している。スライド溝８０９は、時計回りに沿って半径方向内側に向かって湾曲している。スライド溝８０１０は、時計回りに沿って半径方向外側に向かって湾曲している。スライド溝８０１１は、円周方向に対して略平行に延在している。スライド溝８０１２は、時計回りに沿って半径方向内側に向かって湾曲している。
【００６５】
スライド溝８０では、溝の湾曲形状が変化する変化点が設定されている。具体的には、スライド溝８０１とスライド溝８０２との間に変化点８１２が設定され、スライド溝８０２とスライド溝８０３との間に変化点８１３が設定される。また、スライド溝８０３とスライド溝８０４との間に変化点８１４が設定され、スライド溝８０４とスライド溝８０５との間に変化点８１５が設定される。また、スライド溝８０５とスライド溝８０６との間に変化点８１６が設定され、スライド溝８０６とスライド溝８０７との間に変化点８１７が設定される。また、スライド溝８０７とスライド溝８０８との間に変化点８１８が設定され、スライド溝８０８とスライド溝８０９との間に変化点８１９が設定されている。また、スライド溝８０９とスライド溝８０１０との間に変化点８１１０が設定され、スライド溝８０１０とスライド溝８０１１との間に変化点８１１１が設定されている。また、スライド溝８０１１とスライド溝８０１２との間に変化点８１１２が設定され、スライド溝８０１２とスライド溝８０１との間に変化点８１１が設定されている。
【００６６】
上記した、変化点８１２、変化点８１３、変化点８１５、変化点８１７、変化点８１９、変化点８１１１および変化点８１２は、回転プレート７３の半径方向外側に配置される。一方、変化点８１１、変化点８１４、変化点８１６、変化点８１８および変化点８１１０は、回転プレート７３の半径方向内側に配置される。
【００６７】
上記した変化点８１１ないし変化点８１１２に、移動軸７６１ないし移動軸７６４が配置されることで、回動遮蔽壁７１１ないし回動遮蔽壁７１４を所定の開閉パターンにすることができる。ここでは、各変化点どうしが離れる角度間隔θを３０度にすることで、後述するように、回動遮蔽壁７１１ないし回動遮蔽壁７１４の開閉パターンを合計で１２種類実現できる。
【００６８】
図９から図１１を参照して、上記した遮蔽装置７０の回転プレート７３の回転方向に於ける位置を検出する位置検出装置の具体例を説明する。図９に位置検出装置として距離センサ７２が採用された例を示し、図１０に位置検出装置として抵抗器５２が採用された例を示し、図１１に位置検出装置として磁気センサ４１が採用された例を示す。
【００６９】
図９を参照して、位置検出装置として距離センサ７２が採用された例を示す。図９（Ａ）は距離センサ７２が採用された遮蔽装置７０を示し、図９（Ｂ）は図９（Ａ）に示す環状凸状部５０を一点鎖線で示す切断面線で切断した場合の断面図である。
【００７０】
図９（Ａ）を参照して、回転プレート７３の前面中央部を環状に前方に向かって突出させることで、環状凸状部５０が形成されている。環状凸状部５０は、円周方向に沿って高さが変化する。また、前方から見て、環状凸状部５０と重なる蓋部材５７の後面には、距離センサ７２が配置されている。距離センサ７２は、環状凸状部５０の前面部分に向かって電磁波や音波を発し、環状凸状部５０の前面部分で反射した電磁波や音波を受信するする。これにより、以下に説明するように、環状凸状部５０の前面部分と距離センサ７２との距離、即ち、環状凸状部５０の高さを検出することができる。
【００７１】
図９（Ｂ）を参照して、環状凸状部５０は、隣接された始点５０１と終点５０２とを有し、始点５０１から終点５０２に向かって環状凸状部５０の突出高さは徐々に大きくなる。
【００７２】
また、距離センサ７２は、発信部７２１と受信部７２２を有する。発信部７２１は、環状凸状部５０の上面に向かって、電磁波や音波を発生させる。受信部７２２は、環状凸状部５０の上面で反射した電磁波や音波を受信する。よって、距離センサ７２の発信から受信までの時間を計測することで、環状凸状部５０の前面から距離センサ７２までの距離を算出することができ、即ち、環状凸状部５０の厚みを算出することができる。また、上記したように、環状凸状部５０の厚さは、始点５０１が最も薄く、終点５０２が最も厚い。よって、環状凸状部５０の厚さを計測することで、回転プレート７３の回転方向に於ける位置、即ち回転プレート７３の回転角を検出することができる。
【００７３】
図１０を参照して、位置検出装置として抵抗器５２が採用された場合を説明する。図１０は、位置検出装置として抵抗器５２が採用された遮蔽装置７０を示す分解斜視図である。
【００７４】
抵抗器５２は、回転自在な回転軸５３を有している。回転軸５３の後端近傍は、回転プレート７３の中央部分に形成された挿入孔５１に挿入されている。挿入孔５１は略半円形状を呈しており、回転軸５３も同様な略半円形状を呈している。よって、回転プレート７３が回転すると、回転軸５３も同時に回転する。また、抵抗器５２は、回転軸５３の回転に伴い抵抗値が変化する可変抵抗器である。よって、抵抗器５２の抵抗値を計測することで、回転プレート７３の回転方向の位置を検出することができる。
【００７５】
また、ここでは抵抗器５２が検出した抵抗値から回転プレート７３の回転角を検出しているが、抵抗値以外の電気的特性値、例えば電流値等から回転プレート７３の回転角を検出することもできる。
【００７６】
図１１を参照して、位置検出装置として磁気センサ４１が採用された場合を説明する。図１１は、位置検出装置として磁気センサ４１が採用された遮蔽装置７０を示す分解斜視図である。
【００７７】
回転プレート７３の中心部には磁石４０が配置されている。磁石４０は、円周方向に沿って所定のパターンでＮ極とＳ極とが着磁されている。磁石４０は、回転プレート７３と共に回転する。
【００７８】
また、蓋部材５７の後面であって、前方から見て磁石４０と重なり合う箇所またはその近傍には、磁気センサ４１が配置されている。磁気センサ４１は、磁石４０から発生する磁界を検出することで、磁石４０の回転方向に於ける位置を検出する。
【００７９】
遮蔽装置７０の使用状況下に於いて、回転プレート７３が回転すると、磁石４０も共に回転する。磁石４０の回転に伴い、磁石４０から発生する磁界が変化し、この磁界の変化を磁気センサ４１が検出することで、回転プレート７３の回転方向に於ける位置を検出できる。
【００８０】
図１２のブロック図を参照して、冷蔵庫１０の接続構成を説明する。冷蔵庫１０は、制御装置５４、温度センサ９１、タイマ９２、距離センサ７２、圧縮機４４、送風機４７、駆動モータ７４、除霜ヒータ４６を有している。温度センサ９１、タイマ９２および距離センサ７２は、制御装置５４の入力側端子に接続されている。圧縮機４４、送風機４７、駆動モータ７４および除霜ヒータ４６は、制御装置５４の出力側端子に接続されている。
【００８１】
制御装置５４は、例えばＣＰＵであり、温度センサ９１等からの入力情報に基づいて、圧縮機４４等を制御することで、冷蔵庫１０の冷却運転を制御する。また、制御装置５４は、後述するように、距離センサ７２からの入力情報に基づいて、上記した遮蔽壁駆動機構６０を制御し、回動遮蔽壁７１の開閉を制御する。
【００８２】
温度センサ９１は、上記した冷蔵室１５、冷凍室１７および野菜室２０の内部に夫々配置され、これらの各貯蔵室の庫内温度を示す情報を制御装置５４に伝送する。
【００８３】
タイマ９２は、冷蔵室１５、冷凍室１７および野菜室２０を冷却する冷却時間や除霜ヒータ４６の運転時間等を計測し、その時間を示す情報を制御装置５４に伝送する。
【００８４】
距離センサ７２は、図９に示したように、回転プレート７３の環状凸状部５０との距離を計測することで、回転プレート７３の回転方向に於ける位置、即ち回転角度を検出する。距離センサ７２の替わりに、図１０に示した抵抗器５２、図１１に示した磁気センサ４１を採用することもできる。
【００８５】
圧縮機４４は、制御装置５４からの指示に従い、冷凍サイクルで用いられる冷媒を圧縮する。
【００８６】
送風機４７は、制御装置５４からの指示に従い、冷凍サイクルの冷却器４５が冷却した冷気を各貯蔵室に向かって送風する。
【００８７】
駆動モータ７４は、制御装置５４からの指示に従い、上記した遮蔽装置７０の回転プレート７３を所定角度回転させる。駆動モータ７４としては、例えばステッピングモータが採用される。
【００８８】
除霜ヒータ４６は、制御装置５４からの指示に従い、通電されることで、冷却室２６の内部の空気を暖める。
【００８９】
以下、図１３から図１８を参照して、遮蔽装置７０の回転プレート７３を３０度単位で回転させることで、回動遮蔽壁７１１ないし回動遮蔽壁７１４を開閉し、風路の開閉および切替えを行う動作を説明する。以下の説明では、回転プレート７３の半径方向および円周方向を、単に、半径方向および円周方向と称する。更に、以下の説明では、回転プレート７３を３０度単位で時計回りに回転させることで、回動遮蔽壁７１１等の開閉状態を、パターン１からパターン１２まで遷移させている。即ち、本実施形態では、回転プレート７３の割付角を３０度とし、３０度単位で回転プレート７３を回転することで、回動遮蔽壁７１１ないし回動遮蔽壁７１４の開閉を制御している。ここで、割付角は、３６０度の約数とされており、例えば６０度や１２０度でも良い。
【００９０】
以下では、パターン１ないしパターン１２のうち、パターン１、パターン６、パターン１２を説明する。パターン１を図１３および図１４に示し、パターン６を図１５および図１６に示し、パターン１２を図１７および図１８に示す。
【００９１】
図１３および図１４に、全ての回動遮蔽壁７１等を開状態とするパターン１を示す。図１３（Ａ）はこの状態に於ける遮蔽装置７０を後方から見た図であり、図１３（Ｂ）はこの状態に於ける回転プレート７３を後方から見た図であり、図１４はこの状態に於ける風路の状況を後方から見た図である。
【００９２】
図１３（Ａ）を参照して、パターン１では、回動遮蔽壁７１１ないし回動遮蔽壁７１４の全ては開状態である。係る開閉状態とすることで、送風機４７で冷蔵室１５および冷凍室１７に冷気を送風することができる。
【００９３】
図１３（Ｂ）を参照して、この状態では、移動軸７６１等は半径方向内側に配置されている。具体的には、移動軸７６１はスライド溝８０の変化点８１４に配置され、移動軸７６２はスライド溝８０の変化点８１６に配置される。また、移動軸７６３はスライド溝８０の変化点８１８に配置され、移動軸７６４はスライド溝８０の変化点８１１０に配置される。これにより、回動遮蔽壁７１１ないし回動遮蔽壁７１４が開状態と成る。
【００９４】
図１４を参照して、遮蔽装置７０が図１２に示した状態となると、遮蔽装置７０で冷気が遮られることはなく、吹出口３４１ないし吹出口３４６に向かって冷気が送風され、吹出口３４１ないし吹出口３４６から冷凍室１７の全域に冷気が吹き出される。
【００９５】
ここで、回転プレート７３がパターン１の状態であることは、図９に示した距離センサ７２の出力に基づいて制御装置５４が検出できる。係る事項は、後述するパターン６およびパターン１２に関しても同様である。
【００９６】
図１３（Ａ）を参照して、図１３に示すパターン１から、図１５に示すパターン６に移行する際には、制御装置５４が駆動モータ７４を駆動することで、ギア３０を介して、回転プレート７３を回転させる。また、制御装置５４は、距離センサ７２で、回転プレート７３の回転角である回転方向の位置を計測しながら、回転プレート７３を正確に回転させている。
【００９７】
図１３（Ｂ）を参照して、図１３に示したパターン１から、図１５に示すパターン６に移行する際には、実線の矢印で示すように、回転プレート７３を時計回りに１５０度回転させる。または、点線の矢印で示すように、回転プレート７３を半時計回りに２１０度回転させる。
【００９８】
本実施形態では、回転プレート７３の外縁の全周にギア溝４９が形成されており、更に、回転プレート７３の回転角は上記した距離センサ７２で検出している。よって、回動遮蔽壁７１の開閉パターンを変化させるべく回転プレート７３を回転させる際に、時計回りおよび反時計回りの何れにも回転プレート７３を正確に回転させることができる。
【００９９】
図１５および図１６に、右側下方に配置される回動遮蔽壁７１２のみを開状態とするパターン６を示す。図１５（Ａ）はこの状態に於ける遮蔽装置７０を後方から見た図であり、図１５（Ｂ）はこの状態に於ける回転プレート７３を後方から見た図であり、図１６にはこの状態に於ける風路の状況を後方から見た図である。
【０１００】
図１５（Ａ）を参照して、パターン６では、回動遮蔽壁７１１、回動遮蔽壁７１３および回動遮蔽壁７１４は閉状態とされ、回動遮蔽壁７１２のみが開状態とされている。係る開閉状態とすることで、送風機４７で冷凍室１７の右側下部分に冷気を送風することができる。
【０１０１】
図１５（Ｂ）を参照して、この状態では、移動軸７６１、移動軸７６３および移動軸７６４は半径方向外側に配置され、移動軸７６２は半径方向内側に配置される。具体的には、移動軸７６１はスライド溝８０の変化点８１１１に配置され、移動軸７６２はスライド溝８０の変化点８１１に配置される。また、移動軸７６３はスライド溝８０の変化点８１３に配置され、移動軸７６４はスライド溝８０の変化点８１５に配置される。これにより、回動遮蔽壁７１２のみが開状態とされ、回動遮蔽壁７１１、回動遮蔽壁７１３および回動遮蔽壁７１４は閉状態とされる。
【０１０２】
図１６を参照して、遮蔽装置７０がパターン６になると、回動遮蔽壁７１１、回動遮蔽壁７１３および回動遮蔽壁７１４は冷気を遮る一方、回動遮蔽壁７１２は冷気を遮らない。よって、冷気は右側下方に向かって送風され、具体的には、吹出口３４４および吹出口３４６に向かって送風された後に、冷凍室１７に吹き出される。
【０１０３】
図１５（Ｂ）を参照して、図１５に示したパターン６から、図１７に示すパターン１２に移行する際には、実線の矢印で示すように、回転プレート７３を半時計回りに１８０度回転させる。または、点線の矢印で示すように、回転プレート７３を時計回りに１８０度回転させる。
【０１０４】
図１７および図１８に、全ての回動遮蔽壁７１４等を閉状態とするパターン１２を示す。図１７（Ａ）はこの状態に於ける遮蔽装置７０を後方から見た図であり、図１７（Ｂ）はこの状態に於ける回転プレート７３を後方から見た図であり、図１８はこの状態に於ける風路の状況を後方から見た図である。
【０１０５】
図１７（Ａ）を参照して、パターン１２では、回動遮蔽壁７１１、回動遮蔽壁７１２、回動遮蔽壁７１３および回動遮蔽壁７１４を閉状態とする。係る開閉状態とすることで、送風機４７からの送風径路を閉鎖し、図３に示す冷却室２６と冷凍室１７とを区画することができる。
【０１０６】
図１７（Ｂ）を参照して、この状態では、移動軸７６１、移動軸７６２、移動軸７６３および移動軸７６４が半径方向外側に配置される。具体的には、移動軸７６１はスライド溝８０の変化点８１５に配置され、移動軸７６２はスライド溝８０の変化点８１７に配置される。また、移動軸７６３はスライド溝８０の変化点８１９に配置され、移動軸７６４はスライド溝８０の変化点８１１１に配置される。これにより、回動遮蔽壁７１１、回動遮蔽壁７１２、回動遮蔽壁７１３、回動遮蔽壁７１４が閉状態とされる。
【０１０７】
図１８を参照して、遮蔽装置７０がパターン１２になると、回動遮蔽壁７１１、回動遮蔽壁７１２、回動遮蔽壁７１３および回動遮蔽壁７１４は冷気を遮る。よって、吹出口３４２等に冷気は送風されない。
【０１０８】
図１５（Ｂ）を参照して、図１７に示したパターン１２から、図１３に示したパターン１に移行する際には、実線の矢印で示すように、回転プレート７３を半時計回りに３３０度回転させる。または、点線の矢印で示すように、回転プレート７３を時計回りに３０度回転させる。
【０１０９】
ここでは、図９（Ａ）に示した距離センサ７２等で、回転プレート７３の回転角度を検出している。よって、制御装置５４は、回転プレート７３の検出角度等に基づいて、回転量が少ない方向、ここでは点線で示している時計回りの方向に、回転プレート７３を回転させる。これにより、開閉パターンを変更する際に於ける遮蔽装置７０の動作量および動作時間を低減できる。
【０１１０】
以上が遮蔽装置７０の動作に関する説明である。
【０１１１】
本実施形態では、図６を参照して、回転プレート７３の回転により、回動遮蔽壁７１の開閉動作を行っているので、上記した背景技術と比較して、遮蔽装置７０の薄型化を実現することができる。よって、図２を参照して、遮蔽装置７０の前方に形成される冷凍室１７の容積を増大させることができる。
【０１１２】
更に、本実施形態によれば、図８（Ｂ）に示したように、遮蔽装置７０にスライド溝８０を略円環状に形成し、スライド溝８０に複数の移動軸７６２ないし移動軸７６４を係合させている。そして、回転プレート７３を回転させることで、移動軸７６２ないし移動軸７６４がスライド溝８０を摺動し、回転プレート７３の半径方向に沿ってスライドする。移動軸７６２ないし移動軸７６４がスライドすると、カム６１１ないしカム６１４もスライドし、この結果、回動遮蔽壁７１１ないし回動遮蔽壁７１４が開閉される。
【０１１３】
よって、１つのスライド溝８０に複数の移動軸７６１ないし移動軸７６４が係合して摺動することから、移動軸７６１ないし移動軸７６４がスライド可能なスライド溝８０の距離を長くすることができる。従って、円周方向に沿ってスライド溝８０を滑らかに曲折形成でき、移動軸７６１ないし移動軸７６４がスライド溝８０を摺動する際に発生する圧力が小さくなり、回動遮蔽壁７１１の開閉動作をスムーズに行うことができる。
【０１１４】
更にまた、本実施の形態に係る遮蔽装置７０によれば、遮蔽装置７０を所定角度回転させる簡易な制御動作により、回動遮蔽壁７１１ないし回動遮蔽壁７１４の開閉パターンを多様に実現することができる。具体的には、３０度単位で、１２種類の開閉パターンを実現することができる。よって、多数の冷気の送風形態を実現でき、冷凍室１７の内部の冷却状況に応じて、冷気を好適に送風することができる。
【０１１５】
更に、図９ないし図１１に示した、距離センサ７２等の位置検出装置で、回転プレート７３の回転方向に於ける位置を検出しながら、遮蔽装置７０が回転プレート７３を回転させる。よって、回動遮蔽壁７１１ないし回動遮蔽壁７１４の開閉パターンを正確に制御できる。
【０１１６】
また、図１７（Ｂ）に示したように、回転プレート７３の外縁の全域にギア溝４９が形成されている。よって、回動遮蔽壁７１１ないし回動遮蔽壁７１４の開閉パターンを変更するために、回転プレート７３を時計回りおよび反時計回りの両方に回転させることができる。よって、回転プレート７３を回転させる際に、時計回りおよび反時計回りのうち、回転角度が少ない方を選択することで、開閉パターンの変更に要する時間および動作量を低減することができる。
【０１１７】
本発明は、上記実施形態に限定されるものではなく、その他、本発明の要旨を逸脱しない範囲で、種々の変更実施が可能である。
【符号の説明】
【０１１８】
１０   冷蔵庫
１１   断熱箱体
１２   外箱
１３   内箱
１４   断熱材
１５   冷蔵室
１７   冷凍室
１８   上段冷凍室
１９   下段冷凍室
２０   野菜室
２１   断熱扉
２３   断熱扉
２４   断熱扉
２５   断熱扉
２６   冷却室
２７   送風口
２８   戻り口
２９   冷蔵室供給風路
３０   ギア
３１   冷凍室供給風路
３３   吹出口
３４、３４１、３４２、３４３、３４４、３４５、３４６    吹出口
３５   開口部
３７   野菜室帰還風路
３８   戻り口
３９   戻り口
４０   磁石
４１   磁気センサ
４２   断熱仕切壁
４３   断熱仕切壁
４４   圧縮機
４５   冷却器
４６   除霜ヒータ
４７   送風機
４８   回動連結部
４９   ギア溝
５０   環状凸状部
５０１ 始点
５０２ 終点
５１   挿入孔
５２   抵抗器
５３   回転軸
５４   制御装置
５６   風路区画壁
５７   蓋部材
６０   遮蔽壁駆動機構
６１、６１１、６１２、６１３、６１４      カム
６２   カム収納部
６３   支持基体
６４   回動連結部
６５   仕切体
６６   仕切体
６７   前面カバー
６８   回動連結部
６９   ピン
７０   遮蔽装置
７１、７１１、７１２、７１３、７１４      回動遮蔽壁
７２   距離センサ
７２１ 発信部
７２２ 受信部
７３   回転プレート
７４   駆動モータ
７６、７６１、７６２、７６３、７６４             移動軸
８０   スライド溝
８０１、８０２、８０３、８０４、８０５、８０６、８０７、８０８、８０９、８０１０、８０１１、８０１２     スライド溝
８１１、８１２、８１３、８１４、８１５、８１６、８１７、８１８、８１９、８１１０、８１１１、８１１２            変化点
８３   枠状部
８５   凹状部
８６   貫通孔
９１   温度センサ
９２   タイマ
１００ 冷蔵庫
１０１ 冷蔵室
１０２ 冷凍室
１０３ 野菜室
１０４ 冷却室
１０５ 区画壁
１０６ 開口部
１０７ 送風ファン
１０８ 冷却器
１０９ 風路
１１０ 送風機カバー
１１１ 凹部
１１３ 開口部
１１４ ダンパ
【図１】
2020101314.tif 000003
【図２】
2020101314.tif 000004
【図３】
2020101314.tif 000005
【図４】
2020101314.tif 000006
【図５】
2020101314.tif 000007
【図６】
2020101314.tif 000008
【図７】
2020101314.tif 000009
【図８】
2020101314.tif 000010
【図９】
2020101314.tif 000011
【図１０】
2020101314.tif 000012
【図１１】
2020101314.tif 000013
【図１２】
2020101314.tif 000014
【図１３】
2020101314.tif 000015
【図１４】
2020101314.tif 000016
【図１５】
2020101314.tif 000017
【図１６】
2020101314.tif 000018
【図１７】
2020101314.tif 000019
【図１８】
2020101314.tif 000020
【図１９】
2020101314.tif 000021
【図２０】
2020101314.tif 000022